【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
電力供給ネットワーク用導管構成要素において、
少なくとも部分的に液体の極低温エネルギキャリヤ用の少なくとも一つの第１導管、
前記第１導管と平行に延びる、熱伝達媒体用の少なくとも一つの第２導管、及び
前記第１導管からの前記極低温媒体の取り出し中又は前記第１導管への前記極低温媒体の導入中に熱伝達媒体の加熱及び／又は気化、又は冷却及び／又は凝縮を行うため、前記第１導管と熱接触した、前記第２導管の両端部に設けられた熱交換器を有し、或いは、前記第２導管の一端に熱交換器が設けられ、この熱交換器は、前記第１導管からの極低温媒体の取り出し中に前記熱伝達媒体の冷却及び／又は凝縮を行うため、前記第１導管と熱接触しており、前記第２導管の他端には、熱伝達媒体の加熱及び／又は気化による膨張仕事を行うためのエレメントが設けられている、導管構成要素。
【請求項２】
請求項１に記載の導管構成要素において、
第１及び第２の熱交換器としてマイクロ熱交換器が設けられている、ことを特徴とする導管構成要素。
【請求項３】
請求項１に記載の導管構成要素において、
前記第１導管の内径は２０ｍｍ又はそれ以下であり、好ましくは２．５ｍｍ又はそれ以下である、ことを特徴とする導管構成要素。
【請求項４】
請求項３に記載の導管構成要素において、
前記第２導管の内径は２０ｍｍ又はそれ以下であり、好ましくは２．５ｍｍ又はそれ以下である、ことを特徴とする導管構成要素。
【請求項５】
請求項１に記載の導管構成要素において、
該導管構成要素が既存の供給導管内に設置される、ことを特徴とする導管構成要素。
【請求項６】
請求項１に記載の導管構成要素において、
前記第１導管は、極低温エネルギキャリヤ用の少なくとも一つの貯蔵器に、及び極低温エネルギキャリヤの少なくとも一つの消費者に連結されており、極低温エネルギキャリヤ用の貯蔵容器は、適切である場合には前記消費者の直接上流に連結されている、ことを特徴とする導管構成要素。
【請求項７】
請求項１に記載の導管構成要素において、
前記第１及び第２の導管は、それらの全長に沿って、断熱環境内を延びている、ことを特徴とする導管構成要素。
【請求項８】
請求項１に記載の導管構成要素において、
極低温バッファ容器が導管の端部及び／又は節点に設けられている、ことを特徴とする導管構成要素。
【請求項９】
請求項１に記載の導管構成要素において、
前記第１及び第２の導管の材料は金属又はプラスチックである、ことを特徴とする導管構成要素。
【請求項１０】
請求項９に記載の導管構成要素において、
前記第１及び第２の導管は、室温で可撓性であるように選択される、ことを特徴とする導管構成要素。
【請求項１１】
請求項１に記載の導管構成要素において、
前記第１及び第２の導管と平行に延びる第３導管を有する、ことを特徴とする導管構成要素。
【請求項１２】
請求項１１に記載の導管構成要素において、
前記第３導管は、気化した極低温媒体を輸送するために設けられており、前記第１導管に連結されている、ことを特徴とする導管構成要素。
【請求項１３】
請求項１に記載の導管構成要素において、
前記第１及び／又は第２の導管は、個別に又は組み合わせられてケーシングによって取り囲まれており、このケーシング内には設置後に作動中の冷却により真空が形成され、前記ケーシング内には気密空間が形成され、この空間は、真空の発生前にはガスで充填されており、前記ガスの蒸気圧は冷却中に急速に減少し、好ましくは、冷却中に凝縮によりガス状態から直接凝集体の固体状態になるガスで充填される、ことを特徴とする導管構成要素。
【請求項１４】
請求項１に記載の導管構成要素において、
互いに平行に延びる第１、第２、及び適当であれば第３の導管を有し、少なくとも第１導管、好ましくは第１及び第２の導管が、間隔が隔てられた少なくとも二つの断熱ホイルによって包まれており、これらのホイルは排気可能な空間を形成し、この空間には、物質、好ましくは低温での凝縮によって固化する二酸化炭素及び／又はゲッター材料上への吸着によって除去できるガス及びゲッター材料が配置され、第１、第２、及び適当であれば第３の導管及び断熱ホイルが断熱シースによって取り囲まれている、ことを特徴とする導管構成要素。
【請求項１５】
請求項１４に記載の導管構成要素において、
前記断熱ホイルの少なくとも一方が薄い金属層でコーティングされている、ことを特徴
とする導管構成要素。
【請求項１６】
請求項１４に記載の導管構成要素において、
前記第１、第２、及び適当であれば第３の導管には、更に、断熱体、好ましくはフォーム材料層でできたシースが設けられている、ことを特徴とする導管構成要素。
【請求項１７】
請求項１４に記載の導管構成要素において、
前記断熱ホイル間に形成された前記排気可能な空間もまた、凝縮可能なガスの他に微粒子絶縁体、詳細には粉体状珪酸、鉱質ファイバ、微粒子フォーム材料を含む、ことを特徴とする導管構成要素。
【請求項１８】
請求項１４に記載の導管構成要素において、
前記第１、及び適当であれば第２及び／又は第３の導管には、絶縁体、好ましくはフォーム材料層でできたシースが設けられている、ことを特徴とする導管構成要素。
【請求項１９】
請求項１に記載の導管構成要素において、
第１及び第２の導管からの二つ又はそれ以上のパイプラインが複合構造内で組み合わせられる、ことを特徴とする導管構成要素。
【請求項２０】
請求項１に記載の導管構成要素において、
多機能導管が設けられ、その中に、前記第１及び第２の導管の他に、物質、電流、及び／又は信号を搬送するための別の導管が設けられる、ことを特徴とする導管構成要素。
【請求項２１】
請求項１９に記載の導管構成要素において、
前記第１及び第２の導管の他に、気体状熱伝達媒体を第１熱交換器から第２熱交換器まで戻し輸送するための第３導管が設けられ、この第３導管は、前記第１及び第２の導管から断熱されている、ことを特徴とする導管構成要素。
【請求項２２】
請求項１９に記載の導管構成要素において、
前記第１及び／又は第２の導管は、超伝導材料を含み、及び／又は超伝導材料を含む別の導管が設けられている、ことを特徴とする導管構成要素。
【請求項２３】
請求項１９に記載の導管構成要素において、
前記第１及び／又は第２の導管は、導電性の別の導管として設計されており、これらの導管には電気絶縁体が設けられ、電流及び／又は信号を伝達するための導電体として使用される、ことを特徴とする導管構成要素。
【請求項２４】
請求項１に記載の導管構成要素において、
前記第１導管は、前記第２熱交換器の位置及び／又は前記第１導管から前記第３導管内への水素排出位置にて、パラ水素をオルト水素に変換するための触媒でコーティングされている、ことを特徴とする導管構成要素。
【請求項２５】
請求項１に記載の導管構成要素内で極低温エネルギキャリヤを導管輸送するための方法において、
ｉ）気体状及び／又は液体状の前記極低温エネルギキャリヤを第１導管内に供給する工程、
ｉｉ）前記第１導管内への供給位置にて、前記極低温エネルギキャリヤから第１熱交換器に連結された第２導管内の液体熱伝達媒体に熱エネルギを伝達することによって、前記液体極低温エネルギキャリヤを冷却し且つ随意に凝縮し、前記熱伝達媒体を気化し、前記第２導管から排出する工程、
ｉｉｉ）前記液体極低温エネルギキャリヤを前記第１導管を通して輸送する工程、
ｉｖ）前記液体熱伝達媒体を前記第２導管を通して前記液体極低温エネルギキャリヤと向流をなして輸送する工程、
ｖ）前記第１導管からの排出位置にて、気体状熱伝達媒体から第２熱交換器に連結された前記第１導管内の前記液体極低温エネルギキャリヤに熱エネルギを伝達することによって、前記液体極低温エネルギキャリヤを気化し、これにより前記熱伝達媒体を凝縮し、前記第２導管に供給する工程、及び
ｖｉ）前記気体状極低温エネルギキャリヤを前記第１導管から排出する工程、
を含む、方法。
【請求項２６】
請求項２５に記載の方法において、
前記気体状熱伝達媒体を周囲から前記第２導管に前記第２熱交換器の位置で導入し、前記第１熱交換器の位置で周囲に排出する、ことを特徴とする方法。
【請求項２７】
請求項２５に記載の方法において、
前記気体状熱伝達媒体を、前記第１及び第２の導管から断熱された第３導管内で、前記第１熱交換器から前記第２熱交換器まで再循環し、そこで凝縮形態で前記第２導管に再度供給する、ことを特徴とする方法。
【請求項２８】
請求項２５に記載の方法において、
使用された前記極低温エネルギキャリヤは、室温で気体の炭化水素ガス及び／又は水素、詳細にはメタン、エタン、プロパン、ブタン、又はこれらの混合物、好ましくは天然ガス、及び特に好ましくは水素である、ことを特徴とする方法。
【請求項２９】
請求項２５に記載の方法において、
使用された前記熱伝達媒体は窒素、又は詳細には空気である、ことを特徴とする方法。
【請求項３０】
請求項２５に記載の方法において、
極低温エネルギキャリヤの気化によって生じた前記気体状エネルギキャリヤは、第１及び第２の導管と平行に延びる第３導管内を輸送される、ことを特徴とする方法。
【請求項３１】
請求項３０に記載の方法において、
前記第３導管内を輸送される前記気体状エネルギキャリヤは、消費者のところで、前記第１導管から放出された気化したエネルギキャリヤと組み合わされる、ことを特徴とする方法。
【請求項３２】
請求項３０に記載の方法において、前記第３導管内を輸送される前記気体状エネルギキャリヤは、前記第１導管内への前記極低温エネルギキャリヤの供給の位置のところで凝縮され、これとともに前記第１導管内に供給される、ことを特徴とする方法。
【請求項３３】
請求項１に記載の導管構成要素の使用において、
商業的消費者又は個人消費者、特に充填ステーション、産業的な会社、家庭又は住宅に、極低温エネルギキャリヤ、詳細には天然ガス又は水素を供給するための使用。
【請求項３４】
極低温液体を輸送するためのパイプラインにおいて、
互いに平行に延びる第１、第２、及び適切である場合には、第３の導管を含み、少なくとも第１導管、好ましくは第１及び第２の導管には、間隔が隔てられた少なくとも二つの断熱ホイルによってシースが設けられており、前記断熱ホイルは排気可能な空間を形成し、この空間には、物質、好ましくは低温で凝縮によって固化する二酸化炭素及び／又はゲッター材料上への吸着によって除去できるガス及びゲッター材料が配置され、第１、第２
、及び適当であれば第３の導管及び断熱ホイルが断熱シースによって取り囲まれている、パイプライン。
【請求項３５】
請求項３４に記載のパイプラインにおいて、
前記断熱ホイルの少なくとも一方は薄い金属層でコーティングしてある、ことを特徴とするパイプライン。
【請求項３６】
請求項３４に記載のパイプラインにおいて、
前記第１導管は、パラ水素をオルト水素に変換するための触媒で一部又は全部がコーティングしてある、ことを特徴とするパイプライン。
【請求項３７】
請求項３４に記載のパイプラインにおいて、
前記第１、第２、及び適切である場合には、第３の導管には、断熱体、好ましくは一つのフォーム材料層でシースが追加に設けられている、ことを特徴とするパイプライン。
【請求項３８】
請求項３４に記載のパイプラインにおいて、
前記断熱ホイル間に形成された排気空間は、更に、凝縮可能な気体の他に、微粒子断熱体、詳細には粉体状珪酸、鉱質ファイバ、微粒子フォーム材料を含む、ことを特徴とするパイプライン。
【請求項３９】
請求項３４に記載のパイプラインにおいて、
第１、及び適切である場合には第２の導管には、更に、断熱体、好ましくは一つのフォーム材料層でシースが追加に設けられている、ことを特徴とするパイプライン。
【請求項４０】
請求項３４に記載のパイプラインにおいて、
材料、電流、及び／又は信号を搬送するための別の導管が設けられている、ことを特徴とするパイプライン。
【請求項４１】
請求項３４に記載のパイプラインにおいて、
第１及び第２の導管の他に、気体状熱伝達媒体又は気化した気体状極低温エネルギキャリアを輸送するための第３導管が設けられ、この第３導管は、好ましくは、前記第１及び第２の導管から断熱されている、ことを特徴とするパイプライン。
【請求項４２】
請求項３４に記載のパイプラインにおいて、
前記第１及び／又は第２の導管は超伝導材料を含み、及び／又は超伝導材料を含む別の導管が設けられている、ことを特徴とするパイプライン。
【請求項４３】
請求項３４に記載のパイプラインにおいて、
前記第１及び第２の導管は、電気絶縁体を備えた導電性の個別の導管として設計されており、電流又は信号を伝送するための電気導体として使用される、ことを特徴とするパイプライン。
【請求項４４】
請求項３４に記載の二つ又はそれ以上のパイプラインを含む複合構造。
【請求項４５】
請求項１に記載の少なくとも一つの導管構成要素を含む電力供給ネットワーク。